(57)【要約】【課題】接着テープの乾燥による粘着性の劣化を防止できると共に、テープカット部の刃部材の刃先により指が傷付きにくい安全性にすぐれたテープカッターを提供する。【解決手段】テープカット部が使用時にケースから露出しうるとともに、不使用時はケース内部に収納されて隠蔽されるように構成される。ケースの開口部を開閉しうる蓋部が設けられ、その蓋部に刃部材が取り付けられる。ケースの底面部に、ケース内方へ押すことにより上記蓋部をケース外方へ突出させうる押圧部が設けられる。押圧部と蓋部は一体的に形成される。【選択図】図１
0003105527.tif 000002
【実用新案登録請求の範囲】
【請求項１】
テープ保持部を内部に有するケースを備え、テープカット部は使用時にケースから露出しうるとともに、不使用時はケース内部に収納されて隠蔽されるように構成されたことを特徴とするテープカッター。
【請求項２】
上記ケースは前面部に接着テープを引き出しうる開口部が設けられると共に、その開口部を開閉しうる蓋部が設けられ、その蓋部に刃部材が取り付けられて上記テープカット部が形成されたことを特徴とする請求項１記載のテープカッター。
【請求項３】
上記ケースの底面部に、ケース内方へ押すことにより上記蓋部をケース外方へ突出させうる押圧部が設けられたことを特徴とする請求項２記載のテープカッター。
【請求項４】
上記ケースは箱状に形成され、上記ケースの隅部には、上記押圧部及び蓋部が形成された回動体が設けられ、上記押圧部をケース内方に押すことにより、蓋部がケース外方へ突出するように構成されていることを特徴とする請求項３記載のカッター。
【考案の詳細な説明】
【技術分野】
【０００１】
本考案は、テープカッターの改良に関する。
【背景技術】
【０００２】
従来のテープカッターは、テープ保持部と、テープカット部とを備え、そのテープカット部は常に外部に露出するように構成されている。
【０００３】
そして、接着テープはテープ保持部から使用する長さだけ引き出され、テープカット部の刃部材で切断されるが、接着テープの残りの未使用部分は、その先端部分がテープカット部の刃部材に付着して、次に使用するまで待機状態を維持していた。
【０００４】
従って、テープカット部の刃部材に付着している部分の接着テープは粘着材塗布部が露出しているので、長期間使用しないと乾燥して接着テープの粘着性が劣化し、次に使用する場合に十分に接着できず、耐久性がなくなるという不具合があった。
【０００５】
また、テープカット部では、刃部材の鋸刃状の先鋭な刃先が常に露出しているので、その刃先に手が触れたときに、その手を傷付けるという不具合もあった。
【０００６】
なお、本出願人は、上記不具合を解消しうる鉛筆削り器について調査したが、関連する先行技術文献は発見できなかった。
【考案の開示】
【考案が解決しようとする課題】
【０００７】
そこで本考案は、接着テープの乾燥による粘着性の劣化を防止できると共に、テープカット部の刃部材の刃先により指が傷付きにくい安全性にすぐれたテープカッターの提供を課題とする。
【課題を解決するための手段】
【０００８】
上記課題を解決するために、請求項１記載の本考案に係るテープカッターは、テープ保持部を内部に有するケースを備え、テープカット部は使用時にケースから露出しうるとともに、不使用時はケース内部に収納されて隠蔽されるように構成されたことを特徴とするものである。
【０００９】
即ち、請求項１記載の本考案に係るテープカッターにあっては、必要量の接着テープを
切断する場合には、テープカット部をケースの外へ露出させて使用し、使用後は再びテープカット部をケース内部へ収納して保管するように構成されている。
【００１０】
また、請求項２記載の本考案に係るテープカッターは、上記ケースは前面部に接着テープを引き出しうる開口部が設けられると共に、その開口部を開閉しうる蓋部が設けられ、その蓋部に刃部材が取り付けられて上記テープカット部が形成されたことを特徴とする。
【００１１】
即ち、請求項２記載の本考案に係るテープカッターにあっては、ケースの前面部に形成された開口部を開閉しうる蓋部に刃部材が取り付けられて上記テープカット部が構成されることから、その蓋部を開いたときにテープカット部がケースの外へ露出し、蓋部を閉じたときにテープカット部がケース内へ収納されることになる。
【００１２】
また、請求項３記載の本考案に係るテープカッターは、上記ケースの底面部に、ケース内方へ押すことにより上記蓋部をケース外方へ突出させうる押圧部が設けられたことを特徴とする。
【００１３】
即ち、請求項３記載の本考案に係るテープカッターにあっては、上記押圧部をケース内方へ押したときに上記蓋部が開いて、テープカット部がケースの外へ露出することになる。
【００１４】
また、請求項４記載の本考案に係るテープカッターは、上記ケースは箱状に形成され、上記ケースの隅部には、上記押圧部及び蓋部が形成された回動体が設けられ、上記押圧部をケース内方に押すことにより、蓋部がケース外方へ突出するように構成されていることを特徴とする。
【００１５】
即ち、請求項４記載の本考案に係るテープカッターにあっては、上記押圧部をケース内方へ押圧することにより回動体を回転させてにより蓋部をケース外方へ突出させるように構成されている。
【考案の効果】
【００１６】
請求項１記載の本考案に係るテープカッターは、テープ保持部を内部に有するケースを備え、テープカット部は使用時にケースから露出しうるとともに、不使用時はケース内部に収納されて隠蔽されるように構成されたことから、不使用時は接着テープ全体をケース内部に収納して隠蔽することにより、接着テープの粘着材塗布部の乾燥を防止することができる。従って、接着テープの粘着性の劣化を防止して、耐久性を向上させることができる。
また、不使用時は、テープカット部の刃部材をケース内部に収納して隠蔽できるので、その刃部材の先鋭な刃先に手が触れて傷付くのを防止することができ、安全性が向上する。
【００１７】
また、請求項２記載の本考案に係るテープカッターは、上記ケースの前面部に接着テープを引き出しうる開口部が設けられると共に、その開口部を開閉しうる蓋部が設けられ、その蓋部に刃部材が取り付けられて上記テープカット部が形成されたことから、テープカット部を蓋部と別個に形成する必要がなく、部品点数を減らして構造を簡素化することにより製造コストを低減することができる。
また、上記蓋部を開閉する操作で上記テープカット部を容易にケース内部に収納したり、ケース外方へ露出させることができる。
【００１８】
また、請求項３記載の本考案に係るテープカッターは、上記ケースの底面部に、ケース内方へ押すことにより上記蓋部をケース外方へ突出させうる押圧部が設けられたことから、上記押圧部を押すという簡単な操作で上記蓋部をケース外方へ突出させて上記テープカット部を容易に露出させることができる。従って、使用する場合に、迅速に接着テープを切断しうる状態にすることができる。
【００１９】
また、請求項４記載の本考案に係るテープカッターは、回動体に押圧部と蓋部とが形成されていることから押圧部と蓋部とを別個に設ける必要がなく、部品点数を減らして構造を簡素化することにより製造コストを低減することができる。
【考案を実施するための最良の形態】
【００２０】
以下、図面に基づき本考案の実施の形態について説明する。
本実施形態に係るテープカッター１は、図２及び図４に示すように、テープ保持部３を内部に有するケース２を備え、テープカット部４は使用時に、図１及び図２に示すように、ケース２から露出しうるとともに、不使用時は、図３及び図４に示すように、ケース２内部に収納されて隠蔽されるように構成されている。
また、上記ケース２は前面部に、図１及び図２に示すように、接着テープ５を引き出しうる開口部６が設けられると共に、その開口部６を開閉しうる蓋部７が設けられ、その蓋部７に刃部材８が取り付けられて上記テープカット部４が形成されている。
また、上記ケース２の底面部に、図２及び図４に示すように、ケース２内方へ押すことにより上記蓋部７をケース２外方へ突出させうる押圧部９が設けられている。
また、上記ケース２の底面部は、図２及び図４に示すように、上記ケース２は箱状に形成され、上記ケース２の隅部には、上記押圧部９及び蓋部７が形成された回動体３０が設けられ、上記押圧部９をケース２内方に押すことにより、蓋部7がケース２の外方へ突出するように構成されている。
【実施例１】
【００２１】
以下、図示した本考案の実施例について説明する。
本実施例に係るテープカッター１は、図１及び図３に示すように、プラスチックで形成された横長箱状のケース２を有している。そして、そのケース２は一端が円弧状に形成されて、その内部に、図２及び図４に示すように、テープ保持部３が設けられている。
【００２２】
上記ケース２は、図１及び図３に示すように、一方の側面板１０がケース本体１１に対し着脱自在に形成され、その側面板１０をケース本体１１から取り外して、テープ保持部３に接着テープ５を装填できるように形成されている。なお、上記側面版１０には半円弧状の切欠凹部１２が形成されている。この切欠凹部１２はケース本体１１から上記側面版１０を外す場合に指先を引っ掛けうるように形成されている。
【００２３】
上記テープ保持部３には、図2及び図４に示すように、接着テープ５を保持して回転するテープ取付芯１３が備えられている。このテープ取付芯１３は中心部に回転軸１４を有すると共に、その周囲に短円筒状の取付筒部１５を有している。また、上記取付筒部１５の外周面には、周方向の複数箇所に凸部１６が設けられている。
【００２４】
接着テープ５は、片面に粘着材を塗布した透明なプラスチックフィルム製テープが輪状の巻芯１７に巻き付けられて構成されている。この接着テープ５は、図2及び図４に示すように、巻芯１７の内部に上記取付筒部１５が挿入され、上記凸部１６が巻芯１７の内面に圧接され、その摩擦力によりテープ取付芯１３に固定されている。
【００２５】
ケース２の両側の側面における内面部には、図2及び図４に示すように、対向する位置に軸受溝部１８が設けられ、上記テープ取付芯１３における上記回転軸１４の両端部が上記軸受溝部１８に回転自在に枢支されている。
【００２６】
図１及び図２に示すように、ケース２の前面部には開口部６が設けられている。接着テープ５は、上記テープ保持部３からこの開口部６を通ってケース２の外部へ引き出すことができる。
【００２７】
図２及び図４に示すように、ケース２の底面部における前端部位にも開口部１９が設けられている。そして、ケース２の両側の側面部において上記開口部１９と対応する個所には側面略扇形の切欠部２０が形成されている。
【００２８】
図２及び図４に示すように、この薄型箱状に形成されたケース２の上記開口部６側の
には回動体３０が軸部２６により軸支されている。この回動体３０の下面部は押圧部９として形成されると共に前面部は上記開口部６を開閉しうる蓋部７として形成されており、上記蓋部7が上記開口部６閉止した状態においては、開口部６及び押圧部９はケース２の前面部側及び下面部側を形成する。
【００２９】
図１に示すように、上記蓋部７の上端部位には刃部材８が取り付けられてテープカット部４が構成されている。即ち、接着テープ５はこのテープカット部４の刃部材８で使用する長さだけ切断することができる。
【００３０】
上記蓋部７と上記押圧部９における上記角部には、図2及び図４に示すように、幅方向の両端に取付板部２１が設けられ、その取付板部に円形の孔部２２が形成されている。
また、ケース２の両側の側面部２３、２４の内面部において上記角部と対応する位置には、一方に筒部２５が設けられると共に、他方にはその筒部２５の先端内部に挿入可能な突起２６が設けられている。
【００３１】
そして、上記筒部２５が上記孔部２２に挿通されて、その筒部２５の先端開口部に上記軸部２６が挿入されることにより、上記回動体３０はケース２に対し回動自在に止着されている。
【００３２】
その結果、上記押圧部９を上方へ押すと、図1及び図２に示すように、それと連動して上記蓋部７はケース２の外方へ突出し、上記開口部６が開口すると共に、上記テープカット部４がケース外方へ露出する。
【００３３】
逆に、ケース外方へ突出した蓋部７をケース内方へ押すと、図3および図４に示すように、上記テープカット部４がケース内部に収納されると共に、上記開口部６が閉じ、また、上記押圧部９はケース２の底面部と同一位置まで下がる。
【００３４】
なお、上記蓋部７が開いた状態と、閉じた状態をそれぞれ係止するために、上記取付板部２１には係止突起２７が設けられると共に、ケース側面部の内面部には上記係止突起２７が係合しうる係止凹部２８が、２９が設けられている。
【００３５】
接着テープ５を必要量だけ切断しようとする場合は、図1及び図２に示すように、上記押圧部９を上方へ押して、上記蓋部７をケース外方へ突出させることにより、上記開口部６を開くと共に、上記テープカット部４を露出させる。
そして、上記テープ保持部３から上記開口部６を通して接着テープ５をケース外部に引き出し、上記刃部材８で接着テープ５を切断すればよい。
接着テープ５を切断した後は、上記蓋部７をケース内方へ押し、上記テープカット部４をケース内部に収納すると共に、上記開口部６を閉じる。これにより、接着テープ５は完全にケース内部に隠蔽され、粘着材塗布部が乾燥しにくくなり、粘着性の劣化が防止され、耐久性が向上する。
【００３６】
また、不使用時に上記刃部材８がケース内部に収納されることから、その刃部材８に手が触れて傷付くこともない。
【産業上の利用可能性】
【００３７】
本考案は、全てのテープカッターに適用可能である。
【図面の簡単な説明】
【００３８】
【図１】蓋部を開いた状態の斜視図である。
【図２】図１のＡ−Ａ線断面図である。
【図３】蓋部を閉じた状態の斜視図である。
【図４】図３のＢ−Ｂ線断面図である。
【符号の説明】
【００３９】
１    テープカッター
２    ケース
３    テープ保持部
４    テープカット部
５    接着テープ
６    開口部
７    蓋部
８    刃部材
９    押圧部
１０  側面板
１１  ケース本体
１２  切欠凹部
１３  テープ取付芯
１４  回転軸
１５  取付筒部
１６  凸部
１７  巻芯
１８  軸受溝部
１９  開口部
２０  切欠部
２１  取付板部
２２  孔部
２３  側面部
２４  側面部
２５  筒部
２６  軸部
２７  係止突起
２８  係止凹部
２９  係止凹部
３０  回動体
【図１】
0003105527.tif 000003
【図２】
0003105527.tif 000004
【図３】
0003105527.tif 000005
【図４】
0003105527.tif 000006